(57)【要約】【課題】床衝撃音の遮断性能が良好になると共に、質量体の軽量化を図ることの可能な床支持吸振具、及び、床構造を提供する。【解決手段】動吸振器３０は、梁部材３２、支点部材３４、弾性部材３６、及び、質量体４０を備えている。支点部材３４は、梁部材３２の一端を回転可能に上床材１４の下側に支持する。弾性部材３６は、梁部材３２の中間部を弾性的に支持する。梁部材３２は、長尺で、下地パネル１４Ａと距離δをもって、下地パネル１４Ａの下面に沿った方向に配置されている。梁部材３２の先端部３２Ｂには、質量体４０が取り付けられている。【選択図】図３
2010209599.tif 000002
【特許請求の範囲】
【請求項１】
床スラブ上に配置され、弾性変形可能であって振動を減衰させる第１弾性部材と、
前記第１弾性部材上に支持され、前記床スラブとの間に間隔をもって配置される床材を支持する支持部材と、
前記床材と間隔をあけて前記床材の下面に沿って配置された梁部材と、
前記支持部材と離間した位置で前記床材の下面側に固定され、前記梁部材を支持位置を支点として変位可能に支持する支点部材と、
前記梁部材の先端部に取り付けられ、前記梁部材の変位により変位して振動を減衰させる質量体と、
前記床材に支持され、前記支点部材からの弾性支持距離が、前記質量体と前記支点部材との間の質量取付距離よりよりも短くなる位置で、前記梁部材を支持する弾性部材と、
を備えた床支持吸振具。
【請求項２】
前記梁部材は、一端部で前記支点部材に支持され、他端部に前記質量体が取り付けられていること、を特徴とする請求項１に記載の床支持吸振具。
【請求項３】
前記梁部材は、中間部で前記支点部材に支持され、前記中間部から両側に延びる先端部の一方が前記弾性部材に支持され、他方に前記質量体が取り付けられていること、を特徴とする請求項１に記載の床支持吸振具。
【請求項４】
床スラブと、
前記床スラブと間隔をもって配置される床材と、
請求項１〜３のいずれか１項に記載の床支持吸振具と、
を備えた床構造。
【発明の詳細な説明】
【技術分野】
【０００１】
本発明は、二重床の床材を支持する床支持吸振具、この床支持吸振具を用いた床構造に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体を介して連結板に質量体を取り付けて床からの振動を減衰させる技術が開示されている。
【０００３】
特許文献１に記載の床構造によれば、床からの振動を効果的に減衰させることができる。しかしながら、特許文献１の床支持具では、第１弾性部材と第２弾性部材とが直列に配置されているため、床支持具の高さが高くなってしまう。また、質量体の質量を床からの衝撃に対応させて、ある程度大きくする必要がある。
【先行技術文献】
【特許文献】
【０００４】
【特許文献１】特開２００８−１８００７３号公報
【発明の概要】
【発明が解決しようとする課題】
【０００５】
本発明は、上記事実を考慮してなされたものであり、床衝撃音の遮断性能が良好になると共に、質量体の軽量化を図ることの可能な床支持吸振具、及び、床構造を提供することを課題とする。
【課題を解決するための手段】
【０００６】
請求項１に記載する本発明の床支持吸振具は、床スラブ上に配置され、弾性変形可能であって振動を減衰させる第１弾性部材と、前記第１弾性部材上に支持され、前記床スラブとの間に間隔をもって配置される床材を支持する支持部材と、前記床材と間隔をあけて前記床材の下面に沿って配置された梁部材と、前記支持部材と離間した位置で前記床材の下面側に固定され、前記梁部材を支持位置を支点として変位可能に支持する支点部材と、前記梁部材の先端部に取り付けられ、前記梁部材の変位により変位して振動を減衰させる質量体と、前記床材に支持され、前記支点部材からの弾性支持距離が、前記質量体と前記支点部材との間の質量取付距離よりよりも短くなる位置で、前記梁部材を支持する弾性部材と、を備えている。
【０００７】
請求項１に記載する床支持吸振具では、床材に振動が加わった場合、この振動は、弾性部材を介して梁部材へ伝わる。梁部材は、支点部材による支持位置を支点として変位して振動する。梁部材の振動により、質量体が振動を吸収するように上下動することで、床材の振動が減衰し、その結果床スラブへの振動を減衰する。
【０００８】
本発明の床支持吸振具によれば、振動の入力される弾性部材の支点部材からの弾性支持距離よりも、質量体の支点部材からの質量取付距離の方が長いので、より軽量の質量体を用いて、床材からの衝撃を減衰することができる。
【０００９】
減衰された振動は、さらに第１弾性部材によって減衰されて床スラブへ伝わるので、床衝撃音が良好に遮断される。
【００１０】
請求項２に記載する床支持吸振具は、前記梁部材が、一端部で前記支点部材に支持され、他端部に前記質量体が取り付けられていること、を特徴とする。
【００１１】
このように、梁部材の一端部を支点部材で支持し他端部に質量体を取り付けることにより、弾性部材を梁部材の中間部に配置する構成として、弾性支持距離を質量取付距離よりも短くすることができる。
【００１２】
請求項３に記載する床支持吸振具は、前記梁部材が、中間部で前記支点部材に支持され、前記中間部から両側に延びる先端部の一方が前記弾性部材に支持され、他方に前記質量体が取り付けられていること、を特徴とする。
【００１３】
このように、梁部材の中間部を支点部材で支持して、先端部の一方に質量体を取り付け、他方を支点部材で支持する構成とすることもできる。
【００１４】
請求項４に記載する床構造は、床スラブと、前記床スラブと間隔をもって配置される床材と、請求項１〜３のいずれか１項に記載の床支持吸振具と、を備えている。
【００１５】
本発明の床構造によれば、振動の入力される弾性部材の支点部材からの弾性支持距離よりも、質量体の支点部材からの質量取付距離の方が長いので、より軽量の質量体を用いて、床材からの衝撃を減衰することができる。
【発明の効果】
【００１６】
以上説明したように、本発明の床支持吸振具、及び、床構造によれば、床衝撃音の遮断性能が良好になると共に、質量体の軽量化を図ることができる。
【図面の簡単な説明】
【００１７】
【図１】第１実施形態に係る床構造及び床支持吸振具の縦断面を示す断面図である。
【図２】第１実施形態に係る床構造の下地パネル及び床支持動吸振具の配置を示す平面図である。
【図３】第１実施形態に係る床支持具及び動吸振器の断面図である。
【図４】第１実施形態に係る動吸振器の斜視図である。
【図５】第１実施形態に係る動吸振器の動作説明図である。
【図６】第１実施形態に係る動吸振器の変形例の断面図である。
【図７】第２実施形態に係る床支持具及び動吸振器の断面図である。
【図８】第２実施形態に係る動吸振器の斜視図である。
【図９】第２実施形態に係る動吸振器の動作説明図である。
【図１０】第２実施形態に係る動吸振器の変形例の断面図である。
【発明を実施するための形態】
【００１８】
［第１実施形態］
【００１９】
本発明における床支持吸振具、及び、この床支持吸振具が適用される床構造の第１実施形態を図面に基づき説明する。なお、図中の矢印ＵＰは床構造における上方向を示す。
【００２０】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００２１】
（床構造及び床支持吸振具の構成）
【００２２】
図１に示されるように、床構造１０は、躯体床となるコンクリート製の床スラブ１２と上床材１４との間に、所定の間隔で複数本並べられた床支持具１６、及び、動吸振器３０を介在させており、床支持具１６、及び、動吸振器３０で構成される床支持動吸振具２８の介在によって床スラブ１２と上床材１４との間に空間を形成して遮音効果を得る状態としている。
【００２３】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持具１６、動吸振器３０が床下地材である。
【００２４】
なお、捨張材１４Ｂは、必ずしも必要ではなく、捨張材１４Ｂを除いた構成とすることもできる。
【００２５】
図２には、下地パネル１４Ａと、床支持具１６及び動吸振器３０の配置図が示されている。下地パネル１４Ａは、各々、所定間隔の隙間（以下「目地Ｍという」）が構成されるように敷設されている。目地Ｍは、下地パネル１４Ａ同士の接触による軋み音などを防止するために、１０ｍｍ〜２０ｍｍ程度の間隔が設けられている。床支持具１６は、目地Ｍを跨ぐようにして配置されている。動吸振器３０は、図２（Ａ）に示すように、下地パネル１４Ａの短手方向の中央部で床支持具１６の中間部に所定間隔で配置してもよいし、図２（Ｂ）に示すように、短手方向の両端部で床支持具１６の近傍に所定間隔で配置してもよい。
【００２６】
図３に示されるように、床支持具１６は、第１弾性部材としてのクッションゴム１８、支持部材としての支持ボルト２２、及び、支持パネル１５を備えている。
【００２７】
クッションゴム１８は、床スラブ１２上に配置されている。クッションゴム１８は、円筒状とされており、上床材１４からの振動を減衰させるために、床スラブ１２上に支持されるものであり、弾性変形可能とされる。
【００２８】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００２９】
下地パネル１４Ａの下側には、下地パネル１４Ａを支持するように、所定間隔で目地Ｍを跨いで支持パネル１５が配置されている。支持パネル１５は正方形板状とされ、中央部に調整孔１５Ａが構成されている。
【００３０】
支持ボルト２２は、クッションゴム１８と反対側、すなわち、床スラブ１２と反対方向へ延びて、上端部が支持パネル１５の調整孔１５Ａに取り付けられている。支持ボルト２２は、支持パネル１５を介して上床材１４を支持するようになっている。パネル受け部材２４は、円筒状の円筒部２４Ｂと、円筒部２４Ｂの一方の開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、床スラブ１２との間に間隔をもって配置される。
【００３１】
支持ボルト２２の先端部には、マイナスドライバを差し込むための凹部（図示省略）が形成されており、上床材１４の下地パネル１４Ａに捨張材１４Ｂ、仕上げ材１４Ｃが敷設される前の状態において、マイナスドライバを支持ボルト２２の凹部（図示省略）に差し込んで支持ボルト２２を回転させることによって、床スラブ１２からの下地パネル１４Ａの高さを調節することができるようになっている。
【００３２】
図３及び図４に示すように、動吸振器３０は、梁部材３２、支点部材３４、弾性部材３６、及び、質量体４０を備えている。
【００３３】
支点部材３４は、梁部材３２の一端を回転可能に上床材１４の下側に支持する部材である。支点部材３４は、床下取付部３４Ａ、下延出部３４Ｂ、及び、ヒンジ軸３４Ｃを有している。床下取付部３４Ａは、板状とされ、ねじ３５によって下地パネル１４Ａに固定されている。下延出部３４Ｂは、床下取付部３４Ａの下面に固定され、床下取付部３４Ａから床スラブ１２へ向かって下側に延びている。ヒンジ軸３４Ｃは、下延出部３４Ｂの先端部に取り付けられている。ヒンジ軸３４Ｃは、水平方向に配置されている。
【００３４】
弾性部材３６は、梁部材３２の中間部を弾性的に支持する部材である。弾性部材３６は、床下取付部３６Ａ、下延出部３６Ｂ、下板部３６Ｃ、及び、弾性部３６Ｄを有している。床下取付部３６Ａは、円板状とされ、ねじ３７によって下地パネル１４Ａに固定されている。下延出部３６Ｂは、床下取付部３６Ａの下面に固定され、床下取付部３６Ａから床スラブ１２へ向かって下側に延びている。下板部３６Ｃは、円板状とされ、中央部が下延出部３６Ｂの先端部に固定されている。弾性部３６Ｄは、ゴム材などの弾性変形可能な部材で構成されており、下板部３６Ｃ上に下延出部３６Ｂを囲むように配置され、中心部に円筒穴３６Ｈが構成されている。弾性部３６Ｄは、下板部３６Ｃの上面に接着されている。
【００３５】
梁部材３２は、長尺で、弾性変形しない剛性とされている。梁部材３２は、下地パネル１４Ａと距離δをもって、下地パネル１４Ａの下面に沿った方向に配置されている。距離δは、質量体４０の上下変形量によっても、質量体４０と下地パネル１４Ａとの間にクリアランスＣができるだけの寸法とされている。クリアランスＣとしては、質量体４０が振動によっても質量体が下地パネル１４Ａに衝突しない距離とされている。また、距離δは、下延出部３４Ｂにより、確保されている。梁部材３２としては、鋼材等の金属部材を用いることができる。また、本実施形態では、梁部材３２の断面は長方形板状のものを用いているが、他の断面、例えば、円形断面、円筒断面、方形断面のものも用いることができる。
【００３６】
梁部材３２は、一端部３２Ａがヒンジ軸３４Ｃの外側に、ヒンジ軸３４Ｃを中心に回転可能に取り付けられている。梁部材３２の中間部には、幅広部３２Ｗが形成され、幅広部３２Ｗの幅方向中央には、挿通穴３２Ｈが構成されている。挿通穴３２Ｈには、下延出部３６Ｂが挿通されており、梁部材３２が弾性部３６Ｄ上に弾性的に支持されている。また、梁部材３２は、弾性部３６Ｄの上面に接着されている。梁部材３２の他端を構成する先端部３２Ｂには、穴３２Ｃが構成されている。
【００３７】
梁部材３２の先端部３２Ｂには、質量体４０が取り付けられている。質量体４０は、梁部材３２から伝達される振動を慣性力を利用して減衰させる部材である。質量体４０は、直方体状とされ、挿通孔４０Ｈが構成されている。また、質量体４０には、挿通孔４０Ｈの中央部と連通すると共に質量体４０を貫通するねじ穴４０Ｎが構成されている。ねじ穴４０Ｎには、ねじ４２が挿通され、ねじ４２が挿通出口側に突出された部分にナット４３で締結されている。
【００３８】
質量体４０は、挿通孔４０Ｈに、梁部材３２の先端部３２Ｂが挿入され、取付孔３２Ｈにねじ４２を挿入して逆側からナット４３を締結することにより、梁部材３２の先端部３２Ｂに取り付けられる。
【００３９】
ここで、支点部材３４と弾性部材３６との間の距離を弾性支持距離Ｌ１、支点部材３４と質量体４０との間の距離を質量取付距離Ｌ２とすると、Ｌ１＜Ｌ２となっている。弾性支持距離Ｌ１、質量取付距離Ｌ２、及び、質量体４０の質量は、上床材１４の固有振動周波数に対応するように設定されている。
【００４０】
質量体４０としては、比重の高い材料を用いると、質量体４０をコンパクトに構成することができる。質量体４０は、鋼材、金属、水、砂、セラミック、樹脂などの材料で構成することができる。
【００４１】
（作用）
【００４２】
次に、上記の実施形態の作用を説明する。
【００４３】
上階で発せられた床衝撃音（例えば、歩行音等）の振動は、上床材１４から、弾性部材３６を介して梁部材３２へ伝わる。この振動により、梁部材３２は、弾性部材３６の弾性部３６Ｄを弾性変形させつつ、支点部材３４のヒンジ軸３４Ｃを中心に回動する。また、梁部材３２から振動が伝わった質量体４０は、慣性力により、入力された振動を打ち消すように上下方向に振動する（図５参照）。これにより、クッションゴム１８へ伝わる振動が減衰され、上床材１４から床スラブ１２へ伝わる振動を低減させることができる。
【００４４】
本実施形態では、動吸振器３０が床支持具１６と分離して配置されているので、動吸振器３０が床支持具１６と直列的に配置されている場合と比較して、床支持動吸振具２８の高さを低くすることができる。したがって、上床材１４の下面と床スラブ１２との間の距離が短い低床にも設置することができる。
【００４５】
また、本実施形態では、支点部材３４と質量体４０の間の距離である質量取付距離Ｌ２が、支点部材３４と弾性部材３６の間の距離である弾性支持距離Ｌ１よりも長い（Ｌ１＜Ｌ２）ので、Ｌ１≧Ｌ２の場合と比較して、質量体４０の質量を小さくすることができる。
【００４６】
なお、本実施形態では、梁部材３２を弾性部３６Ｄの上に支持した構成について説明したが、梁部材３２は、図６に示すように、弾性体５２に挿通孔５２Ｈを構成し、梁部材３２を挿通孔５２Ｈに挿通して支持してもよい。この場合には、弾性体５２を直接床下取付部３６Ａへ固定すればよく、下延出部３６Ｂ及び下板部３６Ｃは不要である。また、梁部材３２の中間部に幅広部３６Ｗを構成する必要はなく、中間部についても梁部材３２の他の部分と同じ幅にすればよい。また、梁部材３２に挿通穴３２Ｈを構成する必要もない。
【００４７】
［第２実施形態］
【００４８】
次に、第２実施形態について説明する。本実施形態では、第１実施形態と同様の部分については同一の符号を付して、詳細な説明は省略する。
【００４９】
本実施形態の床支持吸振具、及び、床構造は、第１実施形態の弾性部材３６と支点部材３４の位置が入れ替わっている点が異なっており、その他の構成は同一である。
【００５０】
図７及び図８に示すように、動吸振器３０は、梁部材３２、支点部材３４、弾性部材３６、及び、質量体４０を備えている。支点部材３４は、下地パネル１４Ａの下面の第１実施形態における弾性部材３６の位置に固定され、弾性部材３６は、下地パネル１４Ａの下面の第１実施形態における支点部材３４の位置に固定されている。
【００５１】
梁部材３２の一端部には、幅広部３２Ｗが構成され、幅広部３２Ｗの幅方向の中央に挿通穴３２Ｈが構成されている。挿通穴３２Ｈには、下延出部３６Ｂが挿通されており、梁部材３２が弾性部３６Ｄ上に弾性的に支持されている。
【００５２】
梁部材３２の中間部には、ヒンジ部３２Ｍが形成されている。ヒンジ部３２Ｍは、円筒状とされ、円筒内に支点部材３４のヒンジ軸３４Ｃが挿通されている。梁部材３２は、ヒンジ軸３４Ｃを中心に回転可能に支持されている。また、梁部材３２は、弾性部３６Ｄの上面に接着されている。梁部材３２の他端を構成する先端部３２Ｂには、質量体４０が取り付けられている。
【００５３】
本実施形態においても、支点部材３４と弾性部材３６との間の距離を弾性支持距離Ｌ１、支点部材３４と質量体４０との間の距離を質量取付距離Ｌ２とすると、Ｌ１＜Ｌ２となっている。弾性支持距離Ｌ１、質量取付距離Ｌ２、及び、質量体４０の質量は、上床材１４の固有振動周波数に対応するように設定されている。
【００５４】
（作用）
【００５５】
次に、上記の実施形態の作用を説明する。
【００５６】
上階で発せられた床衝撃音（例えば、歩行音等）の振動は、上床材１４から、弾性部材３６を介して梁部材３２へ伝わる。この振動により、梁部材３２は、弾性部材３６の弾性部３６Ｄを弾性変形させつつ、支点部材３４のヒンジ軸３４Ｃを中心に回動する。また、梁部材３２から振動が伝わった質量体４０は、慣性力により、入力された振動を打ち消すように上下方向に振動する（図９参照）。これにより、クッションゴム１８へ伝わる振動が減衰され、上床材１４から床スラブ１２へ伝わる振動を低減させることができる。
【００５７】
本実施形態でも、動吸振器３０が床支持具１６と分離して配置されているので、動吸振器３０が床支持具１６と直列的に配置されている場合と比較して、床支持動吸振具２８の高さを低くすることができる。したがって、上床材１４の下面と床スラブ１２との間の距離が短い低床にも設置することができる。
【００５８】
また、支点部材３４と質量体４０の間の距離である質量取付距離Ｌ２が、支点部材３４と弾性部材３６の間の距離である弾性支持距離Ｌ１よりも長い（Ｌ１＜Ｌ２）ので、Ｌ１≧Ｌ２の場合と比較して、質量体４０の質量を小さくすることができる。
【００５９】
なお、上記では、梁部材３２を弾性部３６Ｄの上に支持した構成について説明したが、本実施形態でも、梁部材３２を、図１０に示すように、弾性体５２に挿通孔５２Ｈを構成し、梁部材３２を挿通孔５２Ｈに挿通して支持してもよい。
【符号の説明】
【００６０】
１０   床構造
１２   床スラブ
１４   上床材
１６   床支持具
１８   クッションゴム
２２   支持ボルト
２８   床支持動吸振具
３０   動吸振器
３２Ｍ ヒンジ部
３２Ａ 一端部
３２Ｂ 先端部
３２Ｈ 挿通穴
３２   梁部材
３４Ｃ ヒンジ軸
３４   支点部材
３６Ｄ 弾性部
３６   弾性部材
４０   質量体
５２   弾性体
Ｌ１   弾性支持距離
Ｌ２   質量取付距離
【図１】
2010209599.tif 000003
【図２】
2010209599.tif 000004
【図３】
2010209599.tif 000005
【図４】
2010209599.tif 000006
【図５】
2010209599.tif 000007
【図６】
2010209599.tif 000008
【図７】
2010209599.tif 000009
【図８】
2010209599.tif 000010
【図９】
2010209599.tif 000011
【図１０】
2010209599.tif 000012